(57)【要約】      （修正有）【課題】  創作した乾燥花絵を長期間変色や退色しない状態で保存することができる乾燥花絵飾りの製造。【解決手段】  内箱内に乾燥花絵を作成する乾燥花絵作成工程と、内箱の開口端部と位置決め状態で係合する係合枠が一側面の内側面に固定されかつ該係合枠内に位置する部位に透孔が形成され該透孔を外側面より密封状態で覆うように透孔の周縁部に接着固定された透明板を備える防湿袋内に、乾燥花作成工程で作成した乾燥花絵を収納し防湿袋の係合枠に内箱の開口端部を係合させる乾燥花絵の収納工程と、この乾燥花絵の収納工程後に内箱内の空気を不活性ガスに置換して、あるいは内箱内に乾燥花絵作成工程で収納された脱酸素剤および、該脱酸素剤で酸素を除去した場合に防湿袋内が負圧にならないように空気を充填して防湿袋の開口部を密封する防湿袋の密封工程と、この防湿袋の密封工程後に額縁に収納する額縁への収納工程とで乾燥花絵飾りの製造方法を構成している。【選択図】  図１
2008087456.tif 000002
【特許請求の範囲】
【請求項１】
乾燥花を用いて、内箱内に乾燥花絵を作成する乾燥花絵作成工程と、前記内箱の開口端部と位置決め状態で係合する係合枠が一側面の内側面に固定され、かつ該係合枠内に位置する部位に透孔が形成され、該透孔を外側面より密封状態で覆うように透孔の周縁部に接着固定された透明板を備える防湿袋内に、前記乾燥花作成工程で作成した乾燥花絵を収納し、防湿袋の係合枠に内箱の開口端部を係合させる乾燥花絵の収納工程と、この乾燥花絵の収納工程後に内箱内の空気を不活性ガスに置換して、あるいは内箱内に前記乾燥花絵作成工程で収納された脱酸素剤および、該脱酸素剤で酸素を除去した場合に防湿袋内が負圧にならないように空気を充填して防湿袋の開口部を密封する防湿袋の密封工程と、この防湿袋の密封工程後に額縁に収納する額縁への収納工程とからなることを特徴とする乾燥花絵飾りの製造方法。
【請求項２】
乾燥花を用いて、角部に置換孔が形成された内箱内に乾燥花絵を作成する乾燥花絵作成工程と、前記内箱の開口部内に位置決め状態で係合する係合枠が一側面の内側面に固定され、かつ該係合枠内に位置する部位に透孔が形成され、該透孔を外側面より密封状態で覆うように透孔の周縁部に接着固定された透明板を備える防湿袋内に前記乾燥花絵作成工程で作成した乾燥花絵を収納し、防湿袋の係合枠を内箱の開口端部内に挿入して係合させる乾燥花絵の収納工程と、この乾燥花絵の収納工程後に内箱の置換孔よりパイプ材を介して不活性ガスを内部へ充填して置換し、防湿袋の開口部を密封する防湿袋の密封工程と、この防湿袋の密封工程後に額縁に収納する額縁への収納工程とからなることを特徴とする乾燥花絵飾りの製造方法。
【請求項３】
内箱、この内箱内に乾燥花を用いて形成した乾燥花絵本体とからなる乾燥花絵と、この乾燥花絵を密封状態で収納する、前記内箱の開口端部と位置決め状態で係合する係合枠が一側面の内側面に固定され、かつ該係合枠内に位置する部位に透孔が形成され、該透孔を外側面より密封状態で覆うように透孔の周縁部に接着固定された透明板を備える防湿袋と、この防湿袋を内部に収納する額縁とからなることを特徴とする乾燥花絵飾り。
【請求項４】
防湿袋本体と、この防湿袋本体の一側面の内側面に固定された内部に収納される内箱の開口端部と位置決め状態で係合する係合枠と、この係合枠内に位置する部位の前記防湿袋本体の一側面に形成された透孔と、この透孔を外側面より密封状態で覆うように、該透孔の周縁部に接着固定された透明板とからなることを特徴とする乾燥花絵飾り用防湿袋。
【発明の詳細な説明】
【技術分野】
【０００１】
本発明はドライフラワー、押し花等の乾燥花を用いた乾燥花絵飾りの製造方法、乾燥花絵飾りおよび乾燥花絵飾り用防湿袋に関する。
【背景技術】
【０００２】
従来、アルミラミネートフィルム等の防湿シートを用いて周囲に密封部を形成した防湿袋の一側面にほぼ台紙の大きさの開口部を形成したカバー体と、このカバー体内に収納された乾燥剤や脱酸素剤等の変色防止剤と、前記カバー体の開口部に設置された台紙と、この台紙の上面に配置された押し花と、この押し花を覆うように前記カバー体の上面を覆い、該カバー体の周囲の密封部位を接着剤を用いて密封状態で固定される透明板とからなることを特徴とする押し花飾りが、本願出願人によって考えられている。
【０００３】
しかしながら、このような押し花飾りは押し花で作成するため、十分な立体感が得られず、乾燥花絵の創作が限定されるという欠点があった。
【特許文献１】特開２０００−１６９３０１
【発明の開示】
【発明が解決しようとする課題】
【０００４】
本発明は以上のような従来の欠点に鑑み、ドライフラワーや押し花等の乾燥花を用いて立体的な乾燥花絵を容易に創作することができるとともに、創作した乾燥花絵を長期間変色や退色しない状態で保存することができる乾燥花絵飾りの製造方法、乾燥花飾りおよび乾燥花絵飾り用防湿袋を提供することを目的としている。
【０００５】
また、本発明の他の目的は防湿袋内の空気中の酸素が脱酸素剤によって除去された場合に、防湿袋内が負圧になって防湿袋が縮んでしまうのを効率よく防止できる乾燥花絵飾りの製造方法を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は乾燥花を用いて、内箱内に乾燥花絵を作成する乾燥花絵作成工程と、前記内箱の開口端部と位置決め状態で係合する係合枠が一側面の内側面に固定され、かつ該係合枠内に位置する部位に透孔が形成され、該透孔を外側面より密封状態で覆うように透孔の周縁部に接着固定された透明板を備える防湿袋内に、前記乾燥花作成工程で作成した乾燥花絵を収納し、防湿袋の係合枠に内箱の開口端部を係合させる乾燥花絵の収納工程と、この乾燥花絵の収納工程後に内箱内の空気を不活性ガスに置換して、あるいは内箱内に前記乾燥花絵作成工程で収納された脱酸素剤および、該脱酸素剤で酸素を除去した場合に防湿袋内が負圧にならないように空気を充填して防湿袋の開口部を密封する防湿袋の密封工程と、この防湿袋の密封工程後に額縁に収納する額縁への収納工程とで乾燥花絵飾りの製造方法を構成している。
【０００８】
本発明は内箱、この内箱内に乾燥花を用いて形成した乾燥花絵本体とからなる乾燥花絵と、この乾燥花絵を密封状態で収納する、前記内箱の開口端部と位置決め状態で係合する係合枠が一側面の内側面に固定され、かつ該係合枠内に位置する部位に透孔が形成され、該透孔を外側面より密封状態で覆うように透孔の周縁部に接着固定された透明板を備える防湿袋と、この防湿袋を内部に収納する額縁とで乾燥花絵飾りを構成している。
【０００９】
本発明は防湿袋本体と、この防湿袋本体の一側面の内側面に固定された内部に収納される内箱の開口端部と位置決め状態で係合する係合枠と、この係合枠内に位置する部位の前記防湿袋本体の一側面に形成された透孔と、この透孔を外側面より密封状態で覆うように、該透孔の周縁部に接着固定された透明板とで乾燥花絵飾り用防湿袋を構成している。
【発明の効果】
【００１０】
以上の説明から明らかなように、本発明にあっては次に列挙する効果が得られる。
【００１１】
（１）乾燥花を用いて、内箱内に乾燥花絵を作成する乾燥花絵作成工程と、前記内箱の開口端部と位置決め状態で係合する係合枠が一側面の内側面に固定され、かつ該係合枠内に位置する部位に透孔が形成され、該透孔を外側面より密封状態で覆うように透孔の周縁部に接着固定された透明板を備える防湿袋内に、前記乾燥花作成工程で作成した乾燥花絵を収納し、防湿袋の係合枠に内箱の開口端部を係合させる乾燥花絵の収納工程と、この乾燥花絵の収納工程後に内箱内の空気を不活性ガスに置換して、あるいは内箱内に前記乾燥花絵作成工程で収納された脱酸素剤および、該脱酸素剤で酸素を除去した場合に防湿袋内が負圧にならないように空気を充填して防湿袋の開口部を密封する防湿袋の密封工程と、この防湿袋の密封工程後に額縁に収納する額縁への収納工程とからなるので、乾燥花絵作成工程で乾燥花絵を立体的に作成することができる。
したがって、乾燥花絵の創作範囲を拡大することができる。
【００１２】
（２）前記（１）によって、内箱を用いた乾燥花絵を作成し、防湿袋内に密封するので、長期間変色や退色するのを防止することができる。
【００１３】
（３）前記（１）によって、防湿袋の密封工程で内箱内の空気を不活性ガスと置換すれば、より乾燥花絵を長期間、同じ状態に保つことができる。
【００１４】
（４）前記（１）によって、内箱内に脱酸素剤を入れておき、防湿袋の密封工程で、該脱酸素剤で空気中の酸素を除去した場合に負圧にならないように空気を充填しておけば、防湿袋にしわが生じるような収縮を防止することができるとともに、脱酸素剤で酸素を除去して乾燥花絵を長期間同じ状態に保つことができる。
【００１５】
（５）前記（１）によって、特別な機器や装置を用いなくてもよいので、気軽に実施することができる。
【００１６】
（６）前記（１）によって、乾燥花絵の内箱と防湿袋の係合枠とを係合させるので、防湿袋内に収納した乾燥花絵が位置決めされ、防湿袋の密封工程で乾燥花絵の変形や損傷を効率よく防止することができる。
【００１７】
（７）請求項２、３、４も前記（１）〜（５）と同様な効果が得られる。
【発明を実施するための最良の形態】
【００１８】
以下、図面に示す本発明を実施するための最良の形態により、本発明を詳細に説明する。
【００１９】
図１ないし図９に示す本発明を実施するための最良の第１の形態において、１は本発明の乾燥花絵飾り２を製造する乾燥花絵飾りの製造方法で、この乾燥花絵飾りの製造方法１はドライフラワーや押し花等の乾燥花３と内箱４とを用いて乾燥花絵５を作成する乾燥花絵作成工程６と、前記内箱４の開口端部内に位置決め状態で係合する係合枠７が一側面の内側面に固定され、かつ該係合枠７内に位置する部位に透孔８が形成され、該透孔８の外側面より密封状態で覆うように、透孔８の周縁部に接着固定されたガラス、アクリル板等の透明板９を備える防湿袋１０内に、前記乾燥花絵作成工程６で作成した乾燥花絵５を収納し、防湿袋１０の係合枠７に内箱４の開口端部を係合させる乾燥花絵の収納工程１１と、この乾燥花絵の収納工程１１の内箱４内の空気を炭酸ガスや窒素ガス等の不活性ガスに置換して、防湿袋１０の開口部１０ａを密封する防湿袋の密封工程１２と、この防湿袋の密封工程１２後に額縁１３に収納する額縁への収納工程１４とで構成されている。
【００２０】
前記乾燥花絵作成工程６で使用される内箱４は、図２に示すように厚紙で形成された長方形状で、四隅部にパイプ材挿入用切り欠き１５、１５、１５、１５が形成されたものを使用し、図３に示すように内部に必要に応じて脱酸素剤１６や乾燥剤１７を収納し、これらを台紙１８で覆った後、台紙１８上に接着剤や針金等の止め具を用いて、乾燥花３を立体的な乾燥花絵本体１９となるように創作する。
【００２１】
前記乾燥花絵の収納工程１１は図４に示すように、防湿性のあるアルミラミネートフィルムや防湿合成樹脂フィルムを用いて形成された防湿袋本体２０と、この防湿袋本体２０内に係合枠７が形成された係合枠シート２１を挿入し、内部に収納された係合枠シート２１の係合枠７部位を押し圧して輪郭を表出させ、係合枠シート２１の切り欠き線２２に沿ってカッターナイフ２３で防湿袋本体２０の一側面を切り欠き、内部を抜き取って形成した係合枠７および透孔８と、この透孔８の周縁部の防湿袋本体２０の一側面に接着剤を用いて密封状態で固定された透明板９とからなる防湿袋１０を用いて、図５に示すように該防湿袋１０の開口部１０ａより乾燥花絵５を挿入し、該乾燥花絵５の内箱４の開口部内に係合枠７が係合するように位置させて行なう。
【００２２】
前記防湿袋の密封工程１２は図６に示すように、前記防湿袋１０内に収納した乾燥花絵５の内箱４の開口部側の一方のパイプ材挿入用切り欠き１５より不活性ガスを充填し、内部の空気を他方のパイプ材挿入用切り欠き１５より外部へ排出して置換し、防湿袋１０の開口部側を接着剤やヒートシール２４で固定することで行なう。
【００２３】
前記額縁への収納工程１４は図７に示すように、額縁本体２５の背面より防湿袋１０の透明板９を前面を覆うように挿入し、防湿袋本体２０を額縁本体２５内に入り込むように折りたたみ、背面板２６で覆って背面板２６を額縁本体２５に固定具２７で固定することにより、乾燥花絵飾り２が完成する。
【００２４】
上記方法で製造された乾燥花絵飾り２は、乾燥花絵５と防湿袋１０とが係合片７で位置決めされ、移動するのを阻止することができるとともに、乾燥花絵５の内箱４内に脱酸素剤１６や乾燥剤１７を入れておくことにより、不活性ガスとの置換を完全に行なわなくても完全に置換した状態にでき、作業が容易で、長期間変色したり、退色したりするのを防止できる。
[発明を実施するための異なる形態]
【００２５】
次に、図１０ないし図２３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２６】
図１０ないし図１４に示す本発明を実施するための第２の形態において、前記本発明を実施するための最良の第１の形態と主に異なる点は、内箱４の開口端部の外周部と係合する係合枠７Ａを使用した防湿袋１０Ａを用いて乾燥花絵の収納工程１１Ａを行なった点で、このような乾燥花絵の収納工程１１Ａを用いた乾燥花絵飾りの製造方法１Ａで乾燥花絵飾り２Ａを製造してもよい。
【００２７】
図１５ないし図１９に示す本発明を実施するための第３の形態において、前記本発明を実施するための第２の形態と主に異なる点は、開口端部の周縁部の内側面を覆うことができるカバー片２８を有するとともに、側壁４ａ、４ａに置換孔
２９、２９を形成した内箱４Ａを使用した乾燥花絵作成工程６Ａを用いた点で、このような乾燥花絵作成工程６Ａを用いた乾燥花絵飾りの製造方法１Ｂで乾燥花絵飾り２Ｂを製造しても、前記本発明を実施するための最良の第１の形態と同様な作用効果が得られる。
【００２８】
図２０ないし図２３に示す本発明を実施するための第４の形態において、前記本発明を実施するための最良の第１の形態と主に異なる点は、内箱４内に脱酸素剤３０を接着剤等で固定しながら乾燥花絵５を作成する乾燥花絵作成工程６Ｂと、防湿袋１０内に脱酸素剤３０で酸素を除去した場合に、該防湿袋１０内が負圧になって収縮するのを防止できるように空気を充填して防湿袋１０の開口部１０ａを密封する密封工程１２Ａを用いた点で、このような乾燥花絵作成工程６Ｂや密封工程１２Ａを用いた乾燥花絵飾りの製造方法１Ｃで乾燥花絵飾り２Ｃを製造しても、前記本発明を実施するための最良の第１の形態と同様な作用効果が得られる。
なお、内箱４内にエチレンガス等を吸着する活性炭等を入れておくことにより、乾燥花絵の変色や退色を効率よく防止することができる。
【産業上の利用可能性】
【００２９】
本発明は乾燥花絵飾りの製造方法を教える教室や乾燥花絵飾りを製造する産業で利用される。
【図面の簡単な説明】
【００３０】
【図１】本発明を実施するための最良の第１の形態の工程図。
【図２】本発明を実施するための最良の第１の形態の内箱の説明図。
【図３】本発明を実施するための最良の第１の形態の乾燥花絵作成工程の説明図。
【図４】本発明を実施するための最良の第１の形態の防湿袋の説明図。
【図５】本発明を実施するための最良の第１の形態の乾燥花絵の収納工程の説明図。
【図６】本発明を実施するための最良の第１の形態の防湿袋の密封工程の説明図。
【図７】本発明を実施するための最良の第１の形態の額縁への収納工程の説明図。
【図８】本発明を実施するための最良の第１の形態の乾燥花絵飾りの正面図。
【図９】図８の９−９線に沿う断面図。
【図１０】本発明を実施するための第２の形態の工程図。
【図１１】本発明を実施するための第２の形態の防湿袋の説明図。
【図１２】本発明を実施するための第２の形態の乾燥花絵の収納工程の正面図。
【図１３】本発明を実施するための第２の形態の乾燥花絵飾りの正面図。
【図１４】図１３の１４−１４線に沿う断面図。
【図１５】本発明を実施するための第３の形態の工程図。
【図１６】本発明を実施するための第３の形態の内箱の説明図。
【図１７】本発明を実施するための第３の形態の乾燥花絵作成工程の説明図。
【図１８】本発明を実施するための第３の形態の乾燥花絵飾りの正面図。
【図１９】図１８の１９−１９線に沿う断面図。
【図２０】本発明を実施するための第４の形態の工程図。
【図２１】本発明を実施するための第４の形態の乾燥花絵作成工程の説明図。
【図２２】本発明を実施するための第４の形態の防湿袋の密封工程の説明図。
【図２３】本発明を実施するための第４の形態の乾燥花絵飾りの正面図。
【符号の説明】
【００３１】
１、１Ａ、１Ｂ、１Ｃ：乾燥花絵飾りの製造方法、
２、２Ａ、２Ｂ、２Ｃ：乾燥花絵飾り、
３：乾燥花、                                                ４、４Ａ：内箱、
５：乾燥花絵、                                ６、６Ａ、６Ｂ：乾燥花絵作成工程、
７、７Ａ：係合枠、                                    ８：透孔、
９：透明板、                                                １０、１０Ａ：防湿袋、
１１、１１Ａ：乾燥花絵の収納工程、
１２、１２Ａ：防湿袋の密封工程、
１３：額縁、                                                １４：額縁への収納工程、
１５：パイプ材挿入用切り欠き、１６：脱酸素剤、
１７：乾燥剤、                                １８：台紙、
１９：乾燥花絵本体、                    ２０：防湿袋本体、
２１：係合枠シート、                    ２２：切り欠き線、
２３：カッターナイフ、                ２４：ヒートシール、
２５：額縁本体、                            ２６：背面板、
２７：固定具、                                ２８：カバー片、
２９：置換孔、                                ３０：脱酸素剤。
【図１】
2008087456.tif 000003
【図２】
2008087456.tif 000004
【図３】
2008087456.tif 000005
【図４】
2008087456.tif 000006
【図５】
2008087456.tif 000007
【図６】
2008087456.tif 000008
【図７】
2008087456.tif 000009
【図８】
2008087456.tif 000010
【図９】
2008087456.tif 000011
【図１０】
2008087456.tif 000012
【図１１】
2008087456.tif 000013
【図１２】
2008087456.tif 000014
【図１３】
2008087456.tif 000015
【図１４】
2008087456.tif 000016
【図１５】
2008087456.tif 000017
【図１６】
2008087456.tif 000018
【図１７】
2008087456.tif 000019
【図１８】
2008087456.tif 000020
【図１９】
2008087456.tif 000021
【図２０】
2008087456.tif 000022
【図２１】
2008087456.tif 000023
【図２２】
2008087456.tif 000024
【図２３】
2008087456.tif 000025